(57)【要約】【課題】短時間でコンテンツを検索する。【解決手段】操作部１７の右キーが短時間、押下されると、押下される毎に、下の階層のメタ情報のリストを表示する。また、左キーが短時間、押下されると、押下される毎に、すぐ上の階層のリストに戻る。最下位階層の再生画面が表示されているときに、左キーが長押しされると、ＣＰＵ２０は、最上位階層のトップメニューに、表示を切り替える。また、トップメニューが表示されているときに右キーが長押しされると、ＣＰＵ２０は、ＲＡＭ１８に記憶された操作情報の履歴を参照して、現在のトップメニューの表示を、その前に表示されていた再生画面に表示を切り替える。【選択図】図１
2008146686.tif 000002
【特許請求の範囲】
【請求項１】
複数のコンテンツデータを記憶するとともに、再生するコンテンツを検索するために各コンテンツに付加されたメタ情報を記憶するコンテンツ記憶部と、
前記メタ情報の一覧表を前記コンテンツ記憶部から読み出して前記メタ情報の一覧表の表示を行うとともに、再生するコンテンツに関する表示を行う表示部と、
前記表示部が表示したコンテンツのデータを前記コンテンツ記憶部から読み出して前記コンテンツを再生するコンテンツ再生部と、
前記表示部に表示されたメタ情報の一覧表からメタ情報を選択して前記再生するコンテンツを検索する操作を第１の操作として受け付ける第１の操作受付部と、
前記表示部に表示された現在の表示から、直上の階層のメタ情報の一覧表の表示に戻る操作を第２の操作として受け付ける第２の操作受付部と、
前記第１の操作受付部が受け付けた前記第１の操作に従って、選択されたメタ情報の一覧表又は再生するコンテンツに関する表示を行うように前記表示部を制御し、前記第２の操作受付部が受け付けた前記第２の操作に従って、上位の階層のメタ情報の表示に戻るように前記表示部を制御し、前記第１の操作受付部が前記第１の操作とは異なる予め設定された操作を受け付けたときは、前記表示部の現在の表示を、再生するコンテンツに関する表示に切り替え、前記第２の操作受付部が前記第２の操作とは異なる予め設定された操作を受け付けたときは、前記表示部の現在の表示を、最上位の階層のメタ情報の一覧表の表示に切り替える表示制御部と、を備えた、
ことを特徴とするコンテンツ再生装置。
【請求項２】
前記第１の操作と前記第２の操作とに関する操作情報を記憶する操作情報記憶部を備え、
前記第１の操作受付部と前記第２の操作受付部とは、それぞれ、受け付けた前記第１の操作に関する操作情報、前記第２の操作に関する操作情報を、前記操作情報の履歴として、順次、前記操作情報記憶部に記憶し、
前記表示制御部は、前記第１の操作受付部が前記第１の操作とは異なる予め設定された操作を受け付けたときは、前記操作情報記憶部に記憶された前記操作情報の履歴を参照し、参照した前記操作情報の履歴に基づいて前記表示部の現在の表示を、再生するコンテンツに関する表示に切り替える、
ことを特徴とする請求項１に記載のコンテンツ再生装置。
【請求項３】
前記第１の操作受付部、第２の操作受付部が受け付けた操作の操作時間をそれぞれ計測する操作時間計測部を備え、
前記表示制御部は、
前記第１の操作受付部が前記操作を受け付けたとき、前記操作時間計測部が計測した操作時間が、予め設定された時間以下のときは、前記第１の操作受付部が受け付けた操作を前記第１の操作と判別し、前記操作時間計測部が計測した時間が予め設定された時間を越えたとき、前記第１の操作受付部が受け付けた操作を第１の操作とは異なる予め設定された操作と判別し、
前記第２の操作受付部が前記操作を受け付けたとき、前記操作時間計測部が計測した操作時間が、予め設定された時間以下のときは、前記第２の操作受付部が受け付けた操作を前記第２の操作と判別し、前記操作時間計測部が計測した時間が予め設定された時間を越えたとき、前記第２の操作受付部が受け付けた操作を第２の操作とは異なる予め設定された操作と判別する、
ことを特徴とする請求項１又は２に記載のコンテンツ再生装置。
【請求項４】
コンテンツを再生するコンテンツ再生装置に表示されるコンテンツに関する表示を制御するコンテンツ再生装置の表示制御方法であって、
再生するコンテンツを検索するために各コンテンツに付加されたメタ情報の一覧表の表示を行うとともに、再生するコンテンツに関する表示を行うステップと、
表示されたコンテンツを再生するステップと、
表示されたメタ情報の一覧表からメタ情報を選択して前記再生するコンテンツを検索する操作を第１の操作として受け付けるステップと、
表示された現在の表示から、直上の階層のメタ情報の一覧表の表示に戻る操作を第２の操作として受け付けるステップと、
受け付けた前記第１の操作に従って、選択されたメタ情報の一覧表又は再生するコンテンツに関する表示を行うように制御し、受け付けた前記第２の操作に従って、上位の階層のメタ情報の表示に戻るように制御し、前記第１の操作とは異なる予め設定された操作を受け付けたときは、現在の表示を、再生するコンテンツに関する表示に切り替え、前記第２の操作とは異なる予め設定された操作を受け付けたときは、現在の表示を、最上位の階層のメタ情報の一覧表の表示に切り替えるステップと、を備えた、
ことを特徴とするコンテンツ再生装置の表示制御方法。
【請求項５】
コンピュータに、
再生するコンテンツを検索するために各コンテンツに付加されたメタ情報の一覧表の表示を行うとともに、再生するコンテンツに関する表示を行う手順、
表示されたコンテンツを再生する手順、
表示されたメタ情報の一覧表からメタ情報を選択して前記再生するコンテンツを検索する操作を第１の操作として受け付ける手順、
表示された現在の表示から、直上の階層のメタ情報の一覧表の表示に戻る操作を第２の操作として受け付ける手順、
受け付けた前記第１の操作に従って、選択されたメタ情報の一覧表又は再生するコンテンツに関する表示を行うように制御し、受け付けた前記第２の操作に従って、上位の階層のメタ情報の表示に戻るように制御し、前記第１の操作とは異なる予め設定された操作を受け付けたときは、現在の表示を、再生するコンテンツに関する表示に切り替え、前記第２の操作とは異なる予め設定された操作を受け付けたときは、現在の表示を、最上位の階層のメタ情報の一覧表の表示に切り替える手順、
を実行させるためのプログラム。
【発明の詳細な説明】
【技術分野】
【０００１】
本発明は、コンテンツ再生装置、その表示制御方法及びプログラムに関するものである。
【背景技術】
【０００２】
コンテンツを再生するコンテンツ再生装置として、所望の曲を素早く再生するため、所望の曲へスキップさせるためのスキップモード機能を備えたものがある（例えば、特許文献１参照）。
【特許文献１】特開２００５−１９０５７６号公報（第６頁、図１、２）
【発明の開示】
【発明が解決しようとする課題】
【０００３】
近年、ポータブルオーディオ、ビデオプレーヤといったコンテンツ再生装置では、小型化が進んでいる。このようなコンテンツ再生装置では、小型化のため、操作ボタンの数を減らす必要がある。
【０００４】
このため、このようなコンテンツ再生装置では、コンテンツのメタ情報がリスト表示され、このリストから、下位階層のメタ情報を選択することにより、再生するコンテンツが検索される。このようにして、上記コンテンツ再生装置では、操作ボタンの数を低減している。
【０００５】
メタ情報をリスト表示するタイプのコンテンツ再生装置では、特許文献１に記載されているようにスキップモードを備えたとしても、再生するコンテンツを検索することはできない。
【０００６】
一方、メタ情報をリスト表示するタイプのコンテンツ再生装置では、メタ情報が階層化されているため、コンテンツを再生しているときに、他のコンテンツを検索する場合、操作キーの複数回の操作が必要となる。
【０００７】
さらに、コンテンツの再生中に操作キーにより再生を停止して最上位階層のトップメニューに戻った後、再度、コンテンツを再生する場合でも、操作キーの複数回の操作が必要となり、コンテンツを検索するのに時間を要することになる。
【０００８】
本発明は、このような従来の問題点に鑑みてなされたもので、短時間でコンテンツを検索することが可能なコンテンツ再生装置、その表示制御方法及びプログラムを提供することを目的とする。
【課題を解決するための手段】
【０００９】
この目的を達成するため、本発明の第１の観点に係るコンテンツ再生装置は、
複数のコンテンツデータを記憶するとともに、再生するコンテンツを検索するために各コンテンツに付加されたメタ情報を記憶するコンテンツ記憶部と、
前記メタ情報の一覧表を前記コンテンツ記憶部から読み出して前記メタ情報の一覧表の表示を行うとともに、再生するコンテンツに関する表示を行う表示部と、
前記表示部が表示したコンテンツのデータを前記コンテンツ記憶部から読み出して前記コンテンツを再生するコンテンツ再生部と、
前記表示部に表示されたメタ情報の一覧表からメタ情報を選択して前記再生するコンテンツを検索する操作を第１の操作として受け付ける第１の操作受付部と、
前記表示部に表示された現在の表示から、直上の階層のメタ情報の一覧表の表示に戻る操作を第２の操作として受け付ける第２の操作受付部と、
前記第１の操作受付部が受け付けた前記第１の操作に従って、選択されたメタ情報の一覧表又は再生するコンテンツに関する表示を行うように前記表示部を制御し、前記第２の操作受付部が受け付けた前記第２の操作に従って、上位の階層のメタ情報の表示に戻るように前記表示部を制御し、前記第１の操作受付部が前記第１の操作とは異なる予め設定された操作を受け付けたときは、前記表示部の現在の表示を、再生するコンテンツに関する表示に切り替え、前記第２の操作受付部が前記第２の操作とは異なる予め設定された操作を受け付けたときは、前記表示部の現在の表示を、最上位の階層のメタ情報の一覧表の表示に切り替える表示制御部と、を備えたことを特徴とする。
【００１０】
前記第１の操作と前記第２の操作とに関する操作情報を記憶する操作情報記憶部を備え、
前記第１の操作受付部と前記第２の操作受付部とは、それぞれ、受け付けた前記第１の操作に関する操作情報、前記第２の操作に関する操作情報を、前記操作情報の履歴として、順次、前記操作情報記憶部に記憶し、
前記表示制御部は、前記第１の操作受付部が前記第１の操作とは異なる予め設定された操作を受け付けたときは、前記操作情報記憶部に記憶された前記操作情報の履歴を参照し、参照した前記操作情報の履歴に基づいて前記表示部の現在の表示を、再生するコンテンツに関する表示に切り替えるようにしてもよい。
【００１１】
前記第１の操作受付部、第２の操作受付部が受け付けた操作の操作時間をそれぞれ計測する操作時間計測部を備え、
前記表示制御部は、
前記第１の操作受付部が前記操作を受け付けたとき、前記操作時間計測部が計測した操作時間が、予め設定された時間以下のときは、前記第１の操作受付部が受け付けた操作を前記第１の操作と判別し、前記操作時間計測部が計測した時間が予め設定された時間を越えたとき、前記第１の操作受付部が受け付けた操作を第１の操作とは異なる予め設定された操作と判別し、
前記第２の操作受付部が前記操作を受け付けたとき、前記操作時間計測部が計測した操作時間が、予め設定された時間以下のときは、前記第２の操作受付部が受け付けた操作を前記第２の操作と判別し、前記操作時間計測部が計測した時間が予め設定された時間を越えたとき、前記第２の操作受付部が受け付けた操作を第２の操作とは異なる予め設定された操作と判別するようにしてもよい。
【００１２】
本発明の第２の観点に係るコンテンツ再生装置の表示制御方法は、
コンテンツを再生するコンテンツ再生装置に表示されるコンテンツに関する表示を制御するコンテンツ再生装置のコンテンツ表示制御方法であって、
再生するコンテンツを検索するために各コンテンツに付加されたメタ情報の一覧表の表示を行うとともに、再生するコンテンツに関する表示を行うステップと、
表示されたコンテンツを再生するステップと、
表示されたメタ情報の一覧表からメタ情報を選択して前記再生するコンテンツを検索する操作を第１の操作として受け付けるステップと、
表示された現在の表示から、直上の階層のメタ情報の一覧表の表示に戻る操作を第２の操作として受け付けるステップと、
受け付けた前記第１の操作に従って、選択されたメタ情報の一覧表又は再生するコンテンツに関する表示を行うように制御し、受け付けた前記第２の操作に従って、上位の階層のメタ情報の表示に戻るように制御し、前記第１の操作とは異なる予め設定された操作を受け付けたときは、現在の表示を、再生するコンテンツに関する表示に切り替え、前記第２の操作とは異なる予め設定された操作を受け付けたときは、現在の表示を、最上位の階層のメタ情報の一覧表の表示に切り替えるステップと、を備えたことを特徴とする。
【００１３】
本発明の第３の観点に係るプログラムは、
コンピュータに、
再生するコンテンツを検索するために各コンテンツに付加されたメタ情報の一覧表の表示を行うとともに、再生するコンテンツに関する表示を行う手順、
表示されたコンテンツを再生する手順、
表示されたメタ情報の一覧表からメタ情報を選択して前記再生するコンテンツを検索する操作を第１の操作として受け付ける手順、
表示された現在の表示から、直上の階層のメタ情報の一覧表の表示に戻る操作を第２の操作として受け付ける手順、
受け付けた前記第１の操作に従って、選択されたメタ情報の一覧表又は再生するコンテンツに関する表示を行うように制御し、受け付けた前記第２の操作に従って、上位の階層のメタ情報の表示に戻るように制御し、前記第１の操作とは異なる予め設定された操作を受け付けたときは、現在の表示を、再生するコンテンツに関する表示に切り替え、前記第２の操作とは異なる予め設定された操作を受け付けたときは、現在の表示を、最上位の階層のメタ情報の一覧表の表示に切り替える手順、
を実行させるためのものである。
【発明の効果】
【００１４】
本発明によれば、短時間でコンテンツを検索することができる。
【発明を実施するための最良の形態】
【００１５】
以下、本発明の実施の形態に係るコンテンツ再生装置を図面を参照して説明する。
本実施形態に係るコンテンツ再生装置の構成を図１に示す。
本実施形態に係るコンテンツ再生装置１は、ＨＤＤ１１と、ＡＶデコーダ１２と、ビデオ用ＤＡＣ１３と、ディスプレイ１４と、オーディオ用ＤＡＣ１５と、音声出力端子１６と、操作部１７と、ＲＡＭ１８と、ＲＯＭ１９と、ＣＰＵ２０と、を備える。
【００１６】
ＨＤＤ１１は、複数のコンテンツデータを記憶するとともに、再生するコンテンツを検索するために各コンテンツに付加されたメタ情報を記憶するものである。このコンテンツ再生装置１は、このメタ情報をリスト表示してコンテンツを検索するように構成されている。図２は、ＨＤＤ１１が記憶するデータの例を示すものであり、この図２に示すように、各コンテンツデータには、メタ情報として、例えば、アーティスト名、アルバム名、トラック名、ジャンル名等が付加されている。
【００１７】
ＡＶデコーダ１２とビデオ用ＤＡＣ１３とディスプレイ１４とは、メタ情報の一覧表をＨＤＤ１１から読み出してメタ情報の一覧表の表示を行うとともに、再生するコンテンツに関する表示を行うものである。
【００１８】
このうち、ＡＶ（Audio Visual）デコーダ１２は、ＨＤＤ１１が記憶するコンテンツデータをデコードして、デジタルの画像データ、オーディオデータに変換するものである。
【００１９】
ＡＶデコーダ１２は、ＣＰＵ２０によって、指定されたデータをＨＤＤ１１から読み出してデコードする。ＡＶデコーダ１２は、コンテンツ再生装置１の電源がオンしたとき、ＣＰＵ２０によって指定されて、最上位の階層のメタ情報の一覧表であるトップメニューとして図２に示すメタ情報の一覧表を表示するようにデータをＨＤＤ１１から読み出してデコードする。
【００２０】
ＡＶデコーダ１２は、ＶＲＡＭ（Video Random Access Memory；図示せず）を備え、デコードしたデータをＶＲＡＭに一時記憶する。ＡＶデコーダ１２は、ＶＲＡＭに一時記憶したデータをビデオ用ＤＡＣ１３に供給する。
【００２１】
また、ＡＶデコーダ１２は、ディスプレイ１４が表示したコンテンツのデータをＨＤＤ１１から読み出してコンテンツを再生するものとしても機能する。
【００２２】
ビデオ用ＤＡＣ（デジタル−アナログ変換器）１３は、ＡＶデコーダ１２が変換したデジタルのビデオ信号をアナログのビデオ信号に変換するものである。
【００２３】
ディスプレイ１４は、メタ情報の一覧表の表示を行うとともに、再生するコンテンツに関する表示を行うものである。ディスプレイ１４は、図３に示すように、コンテンツ再生装置１の前面に設けられる。
【００２４】
ディスプレイ１４は、コンテンツ再生装置１の電源がオンすると、ビデオ用ＤＡＣ１３からトップメニューのビデオ信号が供給され、図４（ａ）に示すようなトップメニュー（ＴＯＰ  ＭＥＮＵ）を表示する。
【００２５】
ディスプレイ１４が、このトップメニューを表示している場合において、アーティストが選択されると、データ構成は、図５に示すような階層構造として認識される。
【００２６】
ディスプレイ１４は、図２に示すメタ情報、図５に示す階層構造に従い、ＡＶデコーダ１２がＣＰＵ２０によって制御されることにより、図４（ｂ）に示すようなアーティストリストを表示する。
【００２７】
ディスプレイ１４は、このアーティストリストから、アーティストとして、例えば、ＡＲＴＩＳＴ_Ｂが選択されると、図２に示すメタ情報、図５に示す階層構造に従い、ＡＶデコーダ１２がＣＰＵ２０によって制御されることにより、図４（ｃ）に示すようなＡＲＴＩＳＴ_Ｃのアルバムリストを表示する。
【００２８】
ディスプレイ１４は、このアルバムリストから、アルバムとして、例えば、ＡＬＢＵＭ_Ｅが選択されると、図２に示すメタ情報、図５に示す階層構造に従い、ＡＶデコーダ１２がＣＰＵ２０によって制御されることにより、図４（ｄ）に示すようなＡＬＢＵＭ_Ｅのトラックリストを表示する。
【００２９】
ディスプレイ１４は、このＡＬＢＵＭ_Ｅのトラックリストから、例えば、ＴＲＡＣＫ_５４が選択されると、図２に示すメタ情報、図５に示す階層構造に従い、ＡＶデコーダ１２がＣＰＵ２０によって制御されることにより、図４（ｅ）に示すようなＴＲＡＣＫ_５４の再生するコンテンツに関する表示であるＰＬＡＹ  ＳＣＲＥＥＮを表示する。
【００３０】
また、ディスプレイ１４は、このＰＬＡＹ  ＳＣＲＥＥＮにおいて、タイトル名として表示されているＰＬＡＹ  ＳＣＲＥＥＮが選択されると、図２に示すメタ情報、図５に示す階層構造に従い、ＡＶデコーダ１２がＣＰＵ２０によって制御されることにより、図４（ｄ）示すようなＡＬＢＵＭ_Ｅのトラックリストを表示する。
【００３１】
ディスプレイ１４は、このトラックリストにおいて、タイトル名として表示されているＡＬＢＵＭ_Ｅが選択されると、図２に示すメタ情報、図５に示す階層構造に従い、ＡＶデコーダ１２がＣＰＵ２０によって制御されることにより、図４（ｃ）に示すようなＡＲＴＩＳＴ_Ｃのアルバムリストを表示する。
【００３２】
ディスプレイ１４は、このアルバムリストにおいて、タイトル名として表示されているＡＲＴＩＳＴ_Ｃが選択されると、図２に示すメタ情報、図５に示す階層構造に従い、ＡＶデコーダ１２がＣＰＵ２０によって制御されることにより、図４（ｂ）に示すようなアーティストリストを表示する。
【００３３】
ディスプレイ１４は、このアーティストリストにおいて、タイトル名として表示されているＡＲＴＩＳＴが選択されると、図２に示すメタ情報、図５に示す階層構造に従い、ＡＶデコーダ１２がＣＰＵ２０によって制御されることにより、図４（ａ）に示すトップメニューを表示する。
【００３４】
オーディオ用ＤＡＣ（デジタル−アナログ変換器）１５は、ＡＶデコーダ１２が変換したデジタルのオーディオ信号をアナログのオーディオ信号に変換するものである。
【００３５】
音声出力端子１６は、オーディオ用ＤＡＣ１５が変換したアナログのオーディオ信号を出力する端子である。
【００３６】
操作部１７は、コンテンツ再生装置１を操作するための複数の操作キーを備えたものであり、各操作キーが操作されたときの操作情報を取得する。図３に示すように、コンテンツ再生装置１の前面には、複数の操作キーとして、電源キー１７Ｐと、ボリュームキー１７Ｖと、マルチコントロールキー１７Ｍと、が設けられている。
【００３７】
電源キー１７Ｐは、コンテンツ再生装置１の電源をオンするときに押下するためのキーであり、電源キー１７Ｐが押下されると、操作部１７は、コンテンツ再生装置１の電源をオンする。ボリュームキー１７Ｖは、ボリュームレベルを調整するためのキーである。
【００３８】
操作部１７は、電源キー１７Ｐ、ボリュームキー１７Ｖが押下されると、それぞれのキーが押下された旨の操作情報をＣＰＵ２０に供給する。
【００３９】
マルチコントロールキー１７Ｍは、各種操作を行うためのキーであり、中央キー１７Ｃと、上キー１７Ｕと、下キー１７Ｄと、左キー１７Ｌと、右キー１７Ｒと、からなる。これらの各キーには、各種機能が割り付けられている。
【００４０】
中央キー１７Ｃは、上キー１７Ｕ、下キー１７Ｄ、左キー１７Ｌ、右キー１７Ｒによって選択された項目を確定するためのキーとして機能する。
【００４１】
上キー１７Ｕ、下キー１７Ｄは、図４（ａ）〜（ｅ）にそれぞれ示すトップメニュー、アーティストリスト、各アーティストのアルバムリスト、各アルバムのトラックリストがディスプレイ１４に表示されているとき押下されることにより、それぞれ、選択する項目を上、下にシフトさせるキーとして機能する。
【００４２】
操作部１７は、中央キー１７Ｃ、上キー１７Ｕ、下キー１７Ｄが押下されると、押下される毎に、この操作情報をＣＰＵ２０に供給するとともに、ＲＡＭ１８に記憶する。
【００４３】
右キー１７Ｒ、左キー１７Ｌは、図４（ａ）〜（ｅ）にそれぞれ示すトップメニュー、アーティストリスト、各アーティストのアルバムリスト、各アルバムのトラックリストがディスプレイ１４に表示されているとき、表示を切り替えるキーとして機能する。
【００４４】
このように、上キー１７Ｕと下キー１７Ｄと右キー１７Ｒとは、ディスプレイ１４に表示されたメタ情報の一覧表からメタ情報を選択して、再生するコンテンツを検索する操作を第１の操作として受け付けるキーとして機能する。
【００４５】
また、上キー１７Ｕと下キー１７Ｄと左キー１７Ｌとは、ディスプレイ１４に表示された現在の表示から、直上の階層のメタ情報の一覧表の表示に戻る操作を受け付けるキーとして機能する。
【００４６】
また、右キー１７Ｒ、左キー１７Ｌには、オン時間の長さによって、それぞれ、上記機能とは、異なる機能が設定される。
【００４７】
右キー１７Ｒは、図４（ａ）に示すトップメニューがディスプレイ１４に表示されているとき、予め設定された時間未満の短い時間、押下されることによって、上キー１７Ｕ、下キー１７Ｄによって選択されたメタ情報の一覧に表示を切り替えるキーとして機能する。
【００４８】
右キー１７Ｒは、図４（ｂ）に示すアーティストリストがディスプレイ１４に表示されているとき、短い時間、押下されることによって、上キー１７Ｕ、下キー１７Ｄによって選択されたアーティストのアルバムリストに表示を切り替えるキーとして機能する。
【００４９】
右キー１７Ｒは、図４（ｃ）に示すアーティストのアルバムリストがディスプレイ１４に表示されているとき、短い時間、押下されることによって、上キー１７Ｕ、下キー１７Ｄによって選択されたアルバムのトラックリストに表示を切り替えるキーとして機能する。
【００５０】
右キー１７Ｒは、図４（ｄ）に示すアルバムのトラックリストがディスプレイ１４に表示されているとき、短い時間、押下されることによって、上キー１７Ｕ、下キー１７Ｄによって選択されたトラックのＰＬＡＹ  ＳＣＲＥＥＮに表示を切り替えるキーとして機能する。
【００５１】
また、左キー１７Ｌは、図４（ｅ）に示すＰＬＡＹ  ＳＣＲＥＥＮがディスプレイ１４に表示されているとき、短い時間、押下されることによって、上位のトラックリストに表示を切り替えるキーとして機能する。
【００５２】
左キー１７Ｌは、図４（ｄ）に示すトラックリストがディスプレイ１４に表示されているとき、短い時間、押下されることによって、上位のアルバムリストに表示を切り替えるキーとして機能する。
【００５３】
左キー１７Ｌは、図４（ｃ）に示すアルバムリストがディスプレイ１４に表示されているとき、短い時間、押下されることによって、上位のアーティストリストに表示を切り替えるキーとして機能する。
【００５４】
左キー１７Ｌは、図４（ｂ）に示すアーティストリストがディスプレイ１４に表示されているとき、短い時間、押下されることによって、上位のトップメニューに表示を切り替えるキーとして機能する。
【００５５】
さらに、右キー１７Ｒは、このようにアーティスト、アルバム、トラックを指定するキーとして機能した後、図４（ａ）に示すトップメニューにおいて、設定時間以上の長い時間、押下されることにより、図４（ｅ）に示すＰＬＡＹ  ＳＣＲＥＥＮに表示を切り替えるキーとして機能する。
【００５６】
また、左キー１７Ｌは、図４（ｅ）に示すＰＬＡＹ  ＳＣＲＥＥＮが表示されているとき、長い時間押下されることによって、図４（ａ）に示すトップメニューに表示を切り替えるキーとして機能する。
【００５７】
操作部１７は、右キー１７Ｒが押下されたとき、右キー１７Ｒの押下が解除されたとき、この操作情報をＣＰＵ２０に供給する。
【００５８】
また、操作部１７は、左キー１７Ｌが押下されたとき、左キー１７Ｌの押下が解除されたとき、この操作情報をＣＰＵ２０に供給する。
【００５９】
ＲＡＭ（Random Access Memory）１８は、ＣＰＵ２０が作業に必要なデータを記憶するためのメモリである。また、ＲＡＭ１８は、操作部１７から供給された操作情報を操作情報の履歴として記憶する。
【００６０】
ＲＯＭ（Read Only Memory）１９は、ＣＰＵ２０が実行するプログラムのデータ等を記憶するためのメモリである。ＲＯＭ１９は、プログラムとして後述する右キー操作処理、左キー操作処理のプログラムデータ等を記憶する。また、ＲＯＭ１９は、データとして、前述の右キー１７Ｒ、左キー１７Ｌが押下されてから押下が解除されるまでのオン時間に対して、長押し判定のために予め設定された時間を記憶する。
【００６１】
ＣＰＵ（Central Processing Unit）２０は、このコンテンツ再生装置１全体を制御するものである。
具体的に、ＣＰＵ２０は、操作部１７から操作情報が供給され、供給された操作情報に基づいて、コンテンツ再生装置１を制御する。
【００６２】
ＣＰＵ２０は、電源をオンして表示されたトップメニューにおいて、操作部１７から、上キー１７Ｕ、下キー１７Ｄが押下された旨の操作情報が供給されると、この操作情報に基づいて、トップメニューで表示された項目のうちのいずれかの項目を選択する。
【００６３】
ＣＰＵ２０は、ディスプレイ１４の表示を切り替えるため、ディスプレイ１４の現在の表示を判別する。図６に示すように、操作部１７から供給された操作情報１、２、・・・を、操作の履歴として、ＲＡＭ１８に記憶する。
【００６４】
また、ＣＰＵ２０は、操作部１７から、右キー１７Ｒ、左キー１７Ｌのオン情報が供給されると、ディスプレイ１４の表示を切り替えるように、ＡＶデコーダ１２を制御する。
【００６５】
ＣＰＵ２０は、ディスプレイ１４の表示を切り替えるとき、ＲＡＭ１８に記憶された操作情報に基づいて、この操作履歴を判別し、ディスプレイ１４の現在の表示を判別する。
【００６６】
このように、ディスプレイ１４の現在の表示を判別すると、ＣＰＵ２０は、図２に示すメタ情報、図５に示す階層構造に従い、下位又は上位の項目を判別し、判別した項目をデコードするようにＡＶデコーダ１２を制御する。
【００６７】
ＣＰＵ２０は、上位階層の項目が選択されているときに、操作部１７から、右キー１７Ｒのオン情報が供給されると、ディスプレイ１４の表示を、選択された項目の下位の項目の表示に切り替えるように、ＡＶデコーダ１２を制御する。
【００６８】
また、ＣＰＵ２０は、下位階層の項目が選択されているときに、操作部１７から、左キー１７Ｌのオン情報が供給されると、ディスプレイ１４の表示を、選択された項目の上位の項目の表示に切り替えるように、ＡＶデコーダ１２を制御する。
【００６９】
次に、ＣＰＵ２０は、右キー１７Ｒ、左キー１７Ｌが押下されている時間に基づいて、異なる表示の切り替え制御を行う。このため、ＣＰＵ２０は、操作部１７から供給された右キー１７Ｒ、左キー１７Ｌのオン情報に基づいて、キーの長押し判定を行う。
【００７０】
ＣＰＵ２０は、操作部１７から、右キー１７Ｒ、左キー１７Ｌのオン情報が供給されると、右キー１７Ｒ、左キー１７Ｌのオンが解除されるまでのオン時間をカウントする。
【００７１】
そして、ＣＰＵ２０は、カウントしたオン時間が、ＲＯＭ１９に記憶された設定時間未満のとき、右キー１７Ｒ、左キー１７Ｌのオン時間は短く長押しではないと判定し、オン時間が設定時間以上のとき、右キー１７Ｒ、左キー１７Ｌのオン時間が長く、長押しと判定する。
【００７２】
尚、ＣＰＵ２０は、操作情報の履歴として、右キー１７Ｒ、左キー１７Ｌの操作情報をこの長押し判定の結果とともに、ＲＡＭ１８に記憶する。
【００７３】
ＣＰＵ２０は、右キー１７Ｒが長押しされていないと判定した場合、ディスプレイ１４の表示を、すぐ下位の階層の項目の表示に切り替えるように、ＡＶデコーダ１２を制御する。
【００７４】
ＣＰＵ２０は、右キー１７Ｒが長押しされていると判定した場合、ディスプレイ１４の表示を、中間の階層の項目を飛び越して、最下位の階層のＰＬＡＹ  ＳＣＲＥＥＮの表示に切り替えるように、ＡＶデコーダ１２を制御する。
【００７５】
ＣＰＵ２０は、左キー１７Ｌが長押しされていないと判定した場合、ディスプレイ１４の表示を、すぐ上位の階層の項目の表示に切り替えるように、ＡＶデコーダ１２を制御する。
【００７６】
ＣＰＵ２０は、左キー１７Ｌが長押しされていると判定した場合、ディスプレイ１４の表示を、中間の階層の項目を飛び越して、最上位の階層のトップメニューの表示に切り替えるように、ＡＶデコーダ１２を制御する。
【００７７】
次に本実施形態に係るコンテンツ再生装置１の動作を説明する。
電源キー１７Ｐが押下されると、操作部１７は、コンテンツ再生装置１の電源をオンする。
ＣＰＵ２０は、ＲＯＭ１９から、長押し判定処理、右キー操作処理、左キー操作処理のプログラムデータを読み出す。
【００７８】
ＣＰＵ２０は、操作部１７から、上キー１７Ｕ、下キー１７Ｄが押下された旨の操作情報が供給されると、この操作情報に基づいて、トップメニューに表示された項目を選択するとともに、この操作情報をＲＡＭ１８に記憶する。
【００７９】
さらに、操作部１７から、右キー１７Ｒが押下された旨の操作情報が供給されると、ＣＰＵ２０は、図７に示すフローチャートに従って、右キー操作処理を実行する。
【００８０】
ＣＰＵ２０は、ＲＡＭ１８に記憶された操作情報の履歴を参照する（ステップＳ１１）。
ＣＰＵ２０は、右キー１７Ｒのオン時間のカウントを開始する（ステップＳ１２）。
【００８１】
ＣＰＵ２０は、操作部１７から供給された操作情報に基づいて、右キー１７Ｒの押下が解除されたか否かを判定する（ステップＳ１３）。
【００８２】
右キー１７Ｒの押下が解除されたと判定した場合（ステップＳ１３；Ｙｅｓ）、ＣＰＵ２０は、長押しではないと判定する。そして、ＣＰＵ２０は、ＲＡＭ１８に記憶された操作情報の履歴を参照した結果に基づいて、トップメニューの表示中か否かを判定する（ステップＳ１４）。
【００８３】
トップメニューの表示中と判定した場合（ステップＳ１４；Ｙｅｓ）、ＣＰＵ２０は、アーティストリストを表示するようにＡＶデコーダ１２を制御する（ステップＳ１５）。
【００８４】
ＣＰＵ２０は、右キー１７Ｒが、短い時間、押下された旨の操作情報をＲＡＭ１８に記憶し（ステップＳ１６）、この右キー操作処理を終了させる。
【００８５】
ＴＯＰ  ＭＥＮＵの表示中ではないと判定した場合（ステップＳ１４；Ｎｏ）、ＣＰＵ２０は、ＲＡＭ１８に記憶された操作情報の履歴を参照した結果に基づいて、ＡＲＴＩＳＴリストの表示中か否かを判定する（ステップＳ１７）。
【００８６】
ＡＲＴＩＳＴリストの表示中と判定した場合（ステップＳ１７；Ｙｅｓ）、ＣＰＵ２０は、ＡＬＢＵＭリストを表示するようにＡＶデコーダ１２を制御する（ステップＳ１８）。
【００８７】
ＣＰＵ２０は、右キー１７Ｒが、短い時間、押下された旨の操作情報をＲＡＭ１８に記憶し（ステップＳ１６）、この右キー操作処理を終了させる。
【００８８】
ＡＲＴＩＳＴリストの表示中ではないと判定した場合（ステップＳ１７；Ｎｏ）、ＣＰＵ２０は、ＲＡＭ１８に記憶された操作情報の履歴を参照した結果に基づいて、ＡＬＢＵＭリストの表示中か否かを判定する（ステップＳ１９）。
【００８９】
ＡＬＢＵＭリストの表示中と判定した場合（ステップＳ１９；Ｙｅｓ）、ＣＰＵ２０は、ＴＲＡＣＫリストを表示するようにＡＶデコーダ１２を制御する（ステップＳ２０）。
【００９０】
ＣＰＵ２０は、右キー１７Ｒが、短い時間、押下された旨の操作情報をＲＡＭ１８に記憶し（ステップＳ１６）、この右キー操作処理を終了させる。
【００９１】
ＡＬＢＵＭリストの表示中ではないと判定した場合（ステップＳ１９；Ｎｏ）、ＣＰＵ２０は、ＲＡＭ１８に記憶された操作情報の履歴を参照した結果に基づいて、ＴＲＡＣＫリストの表示中か否かを判定する（ステップＳ２１）。
【００９２】
ＴＲＡＣＫリストの表示中と判定した場合（ステップＳ２１；Ｙｅｓ）、ＣＰＵ２０は、ＰＬＡＹ  ＳＣＲＥＥＮを表示するようにＡＶデコーダ１２を制御する（ステップＳ２２）。
【００９３】
ＣＰＵ２０は、右キー１７Ｒが、短い時間、押下された旨の操作情報をＲＡＭ１８に記憶し（ステップＳ１６）、この右キー操作処理を終了させる。
【００９４】
ＴＲＡＣＫリストの表示中ではないと判定した場合（ステップＳ２１；Ｎｏ）、ＣＰＵ２０は、再度、ステップＳ１４に戻る。
【００９５】
次に、右キー１７Ｒの押下が解除されていないと判定した場合（ステップＳ１３；Ｎｏ）、ＣＰＵ２０は、右キー１７Ｒのオン時間が予め設定された時間を越えたか否かを判定する（ステップＳ２３）。
【００９６】
オン時間が予め設定された時間を越えていないと判定した場合（ステップＳ２３；Ｎｏ）、ＣＰＵ２０は、再び、右キー１７Ｒのオンが解除されたか否かを判定する（ステップＳ１３）。
【００９７】
右キー１７Ｒのオンが解除されなかったと判定し、（ステップＳ１３；Ｎｏ）、オン時間が予め設定された時間を越えたと判定した場合（ステップＳ２３；Ｙｅｓ）、ＣＰＵ２０は、ＲＡＭ１８に記憶された操作情報の履歴を参照した結果に基づいて、ＰＬＡＹ  ＳＣＲＥＥＮを表示するようにＡＶデコーダ１２を制御する（ステップＳ２２）。
【００９８】
ＣＰＵ２０は、右キー１７Ｒが、長い時間、押下された旨の操作情報をＲＡＭ１８に記憶し（ステップＳ１６）、この右キー操作処理を終了させる。
【００９９】
次に、ＣＰＵ２０は、操作部１７から、左キー１７Ｌが押下された旨の操作情報を取得したとき、図８に示すフローチャートに従って、左キー操作処理を実行する。
【０１００】
ＣＰＵ２０は、ＲＡＭ１８に記憶された操作情報の履歴を参照する（ステップＳ３１）。
ＣＰＵ２０は、左キー１７Ｌのオン時間のカウントを開始する（ステップＳ３２）。
【０１０１】
ＣＰＵ２０は、操作部１７から供給された操作情報に基づいて、左キー１７Ｌの押下が解除されたか否かを判定する（ステップＳ３３）。
【０１０２】
左キー１７Ｌの押下が解除されたと判定した場合（ステップＳ３３；Ｙｅｓ）、ＣＰＵ２０は、ＲＡＭ１８に記憶された操作情報の履歴を参照した結果に基づいて、ＰＬＡＹ  ＳＣＲＥＥＮの表示中か否かを判定する（ステップＳ３４）。
【０１０３】
ＰＬＡＹ  ＳＣＲＥＥＮの表示中と判定した場合（ステップＳ３４；Ｙｅｓ）、ＣＰＵ２０は、ＴＲＡＣＫリストを表示するようにＡＶデコーダ１２を制御する（ステップＳ３５）。
【０１０４】
ＣＰＵ２０は、左キー１７Ｌが、短い時間、押下された旨の操作情報をＲＡＭ１８に記憶し（ステップＳ３６）、この左キー操作処理を終了させる。
【０１０５】
ＰＬＡＹ  ＳＣＲＥＥＮの表示中ではないと判定した場合（ステップＳ３４；Ｎｏ）、ＣＰＵ２０は、ＲＡＭ１８に記憶された操作情報の履歴を参照した結果に基づいて、ＴＲＡＣＫリストの表示中か否かを判定する（ステップＳ３７）。
【０１０６】
ＴＲＡＣＫリストの表示中と判定した場合（ステップＳ３７；Ｙｅｓ）、ＣＰＵ２０は、ＡＬＢＵＭリストを表示するようにＡＶデコーダ１２を制御する（ステップＳ３８）。
【０１０７】
ＣＰＵ２０は、左キー１７Ｌが、短い時間、押下された旨の操作情報をＲＡＭ１８に記憶し（ステップＳ３６）、この左キー操作処理を終了させる。
【０１０８】
ＴＲＡＣＫリストの表示中ではないと判定した場合（ステップＳ３７；Ｎｏ）、ＣＰＵ２０は、ＲＡＭ１８に記憶された操作情報の履歴を参照した結果に基づいて、ＡＬＢＵＭリストの表示中か否かを判定する（ステップＳ３９）。
【０１０９】
ＡＬＢＵＭリストの表示中と判定した場合（ステップＳ３９；Ｙｅｓ）、ＣＰＵ２０は、ＡＲＴＩＳＴリストを表示するようＡＶデコーダ１２を制御する（ステップＳ４０）。
【０１１０】
ＣＰＵ２０は、左キー１７Ｌが、短い時間、押下された旨の操作情報をＲＡＭ１８に記憶し（ステップＳ３６）、この左キー操作処理を終了させる。
【０１１１】
ＡＬＢＵＭリストの表示中ではないと判定した場合（ステップＳ３９；Ｎｏ）、ＣＰＵ２０は、ＲＡＭ１８に記憶された操作情報の履歴を参照した結果に基づいて、ＡＲＴＩＳＴリストの表示中か否かを判定する（ステップＳ４１）。
【０１１２】
ＡＬＢＵＭリストの表示中と判定した場合（ステップＳ４１；Ｙｅｓ）、ＣＰＵ２０は、トップメニューを表示するようにＡＶデコーダ１２を制御する（ステップＳ４２）。
【０１１３】
ＣＰＵ２０は、左キー１７Ｌが、短い時間、押下された旨の操作情報をＲＡＭ１８に記憶し（ステップＳ３６）、この左キー操作処理を終了させる。
【０１１４】
ＡＬＢＵＭリストの表示中ではないと判定した場合（ステップＳ４１；Ｎｏ）、ＣＰＵ２０は、ステップＳ３４に戻る。
【０１１５】
次に、左キー１７Ｌの押下が解除されていないと判定した場合（ステップＳ３３；Ｎｏ）、ＣＰＵ２０は、左キー１７Ｌのオン時間が予め設定された時間を越えたか否かを判定する（ステップＳ４３）。
【０１１６】
オン時間が予め設定された時間を越えていないと判定した場合（ステップＳ４３；Ｎｏ）、ＣＰＵ２０は、再び、左キー１７Ｌの押下が解除されたか否かを判定する（ステップＳ３３）。
【０１１７】
左キー１７Ｌのオンが解除されなかったと判定し（ステップＳ３３；Ｎｏ）、オン時間が予め設定された時間を越えたと判定した場合（ステップＳ４３；Ｙｅｓ）、ＣＰＵ２０は、トップメニューを表示するようにＡＶデコーダ１２を制御する（ステップＳ４２）。
【０１１８】
ＣＰＵ２０は、左キー１７Ｌが、長い時間、押下された旨の操作情報をＲＡＭ１８に記憶し（ステップＳ３６）、この左キー操作処理を終了させる。
【０１１９】
次に、コンテンツ再生装置１の動作を具体的に説明する。
尚、ここでは、右キー１７Ｒ、左キー１７Ｌの長押しか否かを判定するための予め設定された時間を１秒として説明する。
【０１２０】
図２（ａ）に示すように、電源がオンしてディスプレイ１４がトップメニューを表示しているときに、右キー１７Ｒが押下されると、操作部１７は、この操作情報をＣＰＵ２０に供給する。
【０１２１】
ＣＰＵ２０は、操作部１７から、右キー１７Ｒが押下された旨の操作情報が供給されると、ＲＡＭ１８に記憶された操作情報を参照する（ステップＳ１１）。尚、電源がオンしたとき、ＲＡＭ１８に記憶された操作情報はない。
【０１２２】
右キー１７Ｒが押下されてから、１秒以内に押下が解除されると（ステップＳ１３；Ｙｅｓ）、ＣＰＵ２０がＲＡＭ１８に記憶された操作情報の履歴を参照すると、ＲＡＭ１８には、操作情報が記憶されていない。
【０１２３】
このため、ＣＰＵ２０は、現在、ディスプレイ１４には、トップメニューが表示されていると判別する。ＣＰＵ２０は、このように判別すると、図２に示すメタ情報、図５に示す階層構造に従い、ＡＲＴＩＳＴリストを表示するように、ＡＶデコーダ１２を制御する（ステップＳ１５）。
【０１２４】
ＣＰＵ２０は、図９に示すように、右キー１７Ｒが、短い時間、押下された旨の操作情報をＲＡＭ１８に記憶する（ステップＳ１６、図９；ＳＳ１１）。
【０１２５】
下キー１７Ｄが２回押下されると、操作部１７は、この操作情報をＣＰＵ２０に供給するとともに、この操作情報をＲＡＭ１８に記憶する（図９；ＳＳ１２）。
【０１２６】
右キー１７Ｒが押下されると、操作部１７は、この操作情報をＣＰＵ２０に供給する。
【０１２７】
ＣＰＵ２０は、操作部１７から、右キー１７Ｒが押下された旨の操作情報が供給されると、ＲＡＭ１８に記憶された操作情報の履歴を参照する（ステップＳ１１）。
【０１２８】
右キー１７Ｒが押下されてから、１秒以内に押下が解除された場合に（ステップＳ１３；Ｙｅｓ）、ＣＰＵ２０がＲＡＭ１８に記憶された操作情報の履歴を参照すると、ＲＡＭ１８には、右キー１７Ｒが、短い時間、１回だけ押下された旨の操作情報が、その履歴として記憶されている（図９；ＳＳ１１）。
【０１２９】
このため、ＣＰＵ２０は、現在、ディスプレイ１４には、図４（ｂ）に示すＡＲＴＩＳＴリストが表示されていると判別する。
【０１３０】
また、ＲＡＭ１８には、下キー１７Ｄが２回押下された旨の操作情報が記憶されているため（ＳＳ１２）、ＣＰＵ２０は、図４（ｂ）に示すＡＲＴＩＳＴリストから、ＡＲＴＩＳＴ_Ｃが選択されたと判定する（ステップＳ１７；Ｙｅｓ）。
【０１３１】
ＣＰＵ２０は、このように判定すると、図４（ｃ）に示すように、ＡＲＴＩＳＴ_Ｃのアルバムリストを表示するようにＡＶデコーダ１２を制御する（ステップＳ１８）。
【０１３２】
ＣＰＵ２０は、図９に示すように、右キー１７Ｒが、短い時間、押下された旨の操作情報をＲＡＭ１８に記憶する（ステップＳ１６、図９；ＳＳ１３）。
【０１３３】
次に、下キー１７Ｄが４回押下されて、ＡＲＴＩＳＴ_ＣのＡＬＢＵＭ_Ｅが選択された場合、操作部１７は、この操作情報をＣＰＵ２０に供給するとともに、ＲＡＭ１８に記憶する（図９；ＳＳ１４）。
【０１３４】
右キー１７Ｒが押下され、１秒以内に押下が解除された場合（ステップＳ１３；Ｙｅｓ）、ＣＰＵ２０がＲＡＭ１８に記憶された操作情報の履歴を参照すると、ＲＡＭ１８には、右キー１７Ｒが、短い時間、２回押下された旨の操作情報が、その履歴として記憶されている（図９；ＳＳ１１、ＳＳ１３）。
【０１３５】
このため、ＣＰＵ２０は、現在、ディスプレイ１４には、図４（ｃ）に示すＡＲＴＩＳＴＬ_Ｃのアルバムリストが表示されていると判別する。
【０１３６】
また、ＲＡＭ１８には、下キー１７Ｄが４回押下された旨の操作情報が記憶されているため（図９；ＳＳ１４）、ＣＰＵ２０は、図４（ｃ）に示すアルバムリストから、ＡＬＢＵＭ_Ｅが選択されたと判定する（ステップＳ１９；Ｙｅｓ）。
【０１３７】
ＣＰＵ２０は、このように判定すると、図４（ｄ）に示すように、ＡＬＢＵＭ_Ｅのトラックリストを表示するようにＡＶデコーダ１２を制御する（ステップＳ２０）。
【０１３８】
ＣＰＵ２０は、図９に示すように、右キー１７Ｒが、短い時間、押下された旨の操作情報をＲＡＭ１８に記憶する（ステップＳ１６、図９；ＳＳ１５）。
【０１３９】
次に、下キー１７Ｄが３回押下されて、ＡＬＢＵＭ_ＥのＴＲＡＣＫ_５４が選択された場合、操作部１７は、この操作情報をＣＰＵ２０に供給するとともに、ＲＡＭ１８に記憶する（図９；ＳＳ１６）。
【０１４０】
右キー１７Ｒが押下され、１秒以内に押下が解除された場合（ステップＳ１３；Ｙｅｓ）、ＣＰＵ２０がＲＡＭ１８に記憶された操作情報の履歴を参照すると、ＲＡＭ１８には、右キー１７Ｒが、短い時間、３回押下された旨の操作情報が、その履歴として記憶されている（図９；ＳＳ１１、ＳＳ１３、ＳＳ１５）。
【０１４１】
このため、ＣＰＵ２０は、現在、ディスプレイ１４には、図４（ｄ）に示すＡＬＢＵＭ_Ｅのトラックリストが表示されていると判別する。
【０１４２】
また、ＲＡＭ１８には、下キー１７Ｄが３回押下された旨の操作情報が記憶されているため（図９；ＳＳ１６）、ＣＰＵ２０は、図４（ｄ）に示すＡＬＢＵＭ_Ｅのトラックリストから、ＴＲＡＣＫ_５４が選択されたと判定する（ステップＳ２０；Ｙｅｓ）。
【０１４３】
ＣＰＵ２０は、このように判定すると、図４（ｅ）に示すように、ＴＲＡＣＫ_５４のＰＬＡＹ  ＳＣＲＥＥＮを表示するようにＡＶデコーダ１２を制御する（ステップＳ２２）。
【０１４４】
ＣＰＵ２０は、図９に示すように、右キー１７Ｒが、短い時間、押下された旨の操作情報をＲＡＭ１８に記憶する（ステップＳ１６、ＳＳ１７）。
【０１４５】
次に、ＴＲＡＣＫ_５４のＰＬＡＹ  ＳＣＲＥＥＮの表示中に、左キー１７Ｌが押下された場合、操作部１７は、この操作情報をＣＰＵ２０に供給する（図９；ＳＳ１８）。
【０１４６】
ＣＰＵ２０は、操作部１７から、左キー１７Ｌが押下された旨の操作情報が供給されると、ＲＡＭ１８に記憶された操作情報の履歴を参照する（ステップＳ３１）。
【０１４７】
左キー１７Ｌの押下が１秒を越えた場合（ステップＳ３３；Ｎｏ、ステップＳ４３；Ｙｅｓ）、ＣＰＵ２０がＲＡＭ１８に記憶された操作情報の履歴を参照すると、ＲＡＭ１８には、右キー１７Ｒが、短い時間、４回押下された旨の操作情報が、その履歴として記憶されている（図９；ＳＳ１１、ＳＳ１３、ＳＳ１５、ＳＳ１７）。
【０１４８】
このため、ＣＰＵ２０は、現在、ディスプレイ１４には、ＴＲＡＣＫ_５４のＰＬＡＹ  ＳＣＲＥＥＮの表示中と判別する。この場合、図１０（ａ）に示すように、最上位階層のトップメニューを表示するようにＡＶデコーダ１２を制御する（ステップＳ４２）。
【０１４９】
また、ＣＰＵ２０は、図９に示すように、左キー１７Ｌが、長い時間、押下された旨の操作情報をＲＡＭ１８に記憶する（ステップＳ３６、図９；ＳＳ１８）。
【０１５０】
次に、トップメニューの表示中に右キー１７Ｒが押下された場合、操作部１７は、この操作情報をＣＰＵ２０に供給する。
【０１５１】
右キー１７Ｒの押下が１秒を越えた場合（ステップＳ２３；Ｙｅｓ）、ＣＰＵ２０は、ＲＡＭ１８に記憶された操作情報を参照し、その結果（図９；ＳＳ１１〜ＳＳ１７）、トップメニューの直前に、ＴＲＡＣＫ_５４のＰＬＡＹ  ＳＣＲＥＥＮを表示していたと判別する。
【０１５２】
ＣＰＵ２０は、このように判別すると、図１０（ｂ）に示すように、ＴＲＡＣＫ_５４のＰＬＡＹ  ＳＣＲＥＥＮを表示するようにＡＶデコーダ１２を制御する（ステップＳ２２）。
【０１５３】
ＣＰＵ２０は、図９に示すように、右キー１７Ｒが、長い時間、押下された旨の操作情報をＲＡＭ１８に記憶する（ステップＳ１６、図９；ＳＳ１９）。
【０１５４】
以上説明したように、本実施形態によれば、ＣＰＵ２０は、右キー１７Ｒが長い時間、押下されたときは、現在の表示を、ＰＬＡＹ  ＳＣＲＥＥＮの表示に切り替え、左キー１７Ｌが、長い時間、押下されたときは、現在の表示を、トップメニューの表示に切り替えるようにした。
【０１５５】
従って、ポータブルオーディオ、ビデオプレーヤといったコンテンツ再生装置のように、小型化のため、操作ボタンの数に制約がある場合でも、少ない操作でコンテンツを検索することができる。そして、操作が少ないので、短時間でコンテンツを検索することができる。
【０１５６】
また、コンテンツの再生中に操作キーにより最上位階層のトップメニューに戻った後、直前に再生していたコンテンツを再度、検索する場合でも、操作キーの操作回数を低減することができ、メタ情報による検索を繰り返すといった作業を省くことができる。
【０１５７】
また、メタ情報の検索（ブラウズ）をやり直す場合でも、１回の操作でメタ情報の検索をやり直すこともできる。
【０１５８】
尚、本発明を実施するにあたっては、種々の形態が考えられ、上記実施の形態に限られるものではない。
例えば、上記実施の形態では、ＰＬＡＹ  ＳＣＲＥＥＮが表示されているときに、左キー１７Ｌが押下されたときは、トップメニューの表示に、トップメニューが表示されているときに、右キー１７Ｒが押下されたときは、ＰＬＡＹ  ＳＣＲＥＥＮの表示に、表示を切り替えるようにした。
【０１５９】
しかし、最下位層の表示がされている場合に、最上位階層のトップメニューに表示を切り替えるとは限らない。例えば、図１１（ａ）に示すように、ＡＬＢＵＭ_Ｅのトラックリストが表示されているときに最上位階層のトップメニューに表示を切り替えるようにしてもよい。
【０１６０】
また、図１１（ｂ）に示すように、アーティストリストが表示されている場合に、最下位層の表示に切り替えるようにしてもよい。
この場合でも、ＣＰＵ２０は、ＲＡＭ１８に記憶された操作情報の履歴を参照することにより、最上位階層のトップメニューに表示を切り替えることができる。
【０１６１】
上記実施形態では、右キー１７Ｒ、左キー１７Ｌが長い時間、押下されたとき、この操作を、それぞれ、第１の操作、第２の操作とは異なる予め設定された操作として説明した。しかし、この操作は、このような操作に限られるものではなく、右キー１７Ｒ、左キー１７Ｌの短い時間での２回押しであってもよい。
【０１６２】
また、右キー１７Ｒ、左キー１７Ｌの押下位置を浅押し、深押し位置の２段階となるようにして、第１の操作、第２の操作を、それぞれ、浅押しとし、第１の操作とは異なる予め設定された操作、第２の操作とは異なる予め設定された操作を深押しとしてもよい。
【０１６３】
上記実施形態では、右キー１７Ｒをすぐ下位の階層のリストに表示を切り替え、左キー１７Ｌをすぐ上の階層のメタ情報のリストに戻るキーとして機能するように説明した。しかし、この逆であってもよい。
【０１６４】
また、マルチコントロールキー１７Ｍは、メカニカルなキーであるとは限らず、例えば、タッチパネル式のキーであってもよい。
【０１６５】
上記実施形態では、操作情報の履歴をＲＡＭ１８に記憶するようにした。しかし、この操作情報の履歴をＨＤＤ１１に記憶するようにしてもよい。操作情報の履歴をＨＤＤ１１に記憶することにより、コンテンツ再生装置１の電源がオフになっても、操作情報の履歴を保存しておくことができる。
【０１６６】
また、コンテンツとそのメタ情報の記録媒体は、ＨＤＤに限られるものではなく、ＭＤ（ＭＤ：Mini Disc〜商標）、ＣＤ（Compact Disk）、ＤＶＤ（Digital Versatile Disk）、ＭＯ（Magneto Optical disk）であってもよい。
【０１６７】
また、上記実施形態では、プログラムが、それぞれメモリ等に予め記憶されているものとして説明した。しかし、コンテンツ再生装置を、装置の全部又は一部として動作させ、あるいは、上述の処理を実行させるためのプログラムを、フレキシブルディスク、ＣＤ−ＲＯＭ（Compact Disk Read-Only Memory）、ＤＶＤ（Digital Versatile Disk）、ＭＯ（Magneto Optical disk）などのコンピュータ読み取り可能な記録媒体に格納して配布し、これを別のコンピュータにインストールし、上述の手段として動作させ、あるいは、上述の工程を実行させてもよい。
【０１６８】
さらに、インターネット上のサーバ装置が有するディスク装置等にプログラムを格納しておき、例えば、搬送波に重畳させて、コンピュータにダウンロード等するものとしてもよい。
【図面の簡単な説明】
【０１６９】
【図１】本発明の実施形態に係るコンテンツ再生装置の構成を示すブロック図である。
【図２】図１に示すＨＤＤに記憶されたコンテンツと、そのメタ情報を示す図である。
【図３】図１に示すコンテンツ再生装置の前面を示す図である。
【図４】図３に示すディスプレイに表示されるトップメニューから再生画面までの表示例を示す図であり、（ａ）は、トップメニューを示し、（ｂ）は、アーティストリストを示し、（ｃ）はアルバムリストを示し、（ｄ）はトラックリストを示し、（ｅ）は、ＰＬＡＹ  ＳＣＲＥＥＮ（再生画面）を示す。
【図５】図２に示すメタ情報に従って認識されるデータの階層構造を示す図である。
【図６】図１に示すＲＡＭに記憶される操作情報の履歴を示す図である。
【図７】図１に示すＣＰＵが実行する右キー操作処理を示すフローチャートである。
【図８】図１に示すＣＰＵが実行する左キー操作処理を示すフローチャートである。
【図９】図１に示すＲＡＭに記憶される具体的な操作情報の履歴を示す図である。
【図１０】中間階層を飛び越して表示を切り替える例を示す図であり、（ａ）は、ＰＬＡＹ  ＳＣＲＥＥＮからトップメニューに表示を切り替える例を示し、（ｂ）は、トップメニューからＰＬＡＹ  ＳＣＲＥＥＮに表示を切り替える例を示す。
【図１１】中間階層を飛び越して表示を切り替える例を示す図であり、（ａ）は、トラックリストからトップメニューに表示を切り替える例を示し、（ｂ）は、アーティストリストからＰＬＡＹ  ＳＣＲＥＥＮに表示を切り替える例を示す。
【符号の説明】
【０１７０】
１  コンテンツ再生装置
１１  ＨＤＤ
１２  ＡＶデコーダ
１４  ディスプレイ
１７  操作部
１７Ｕ  上キー
１７Ｄ  下キー
１７Ｒ  右キー
１７Ｌ  左キー
１８  ＲＡＭ
１９  ＲＯＭ
２０  ＣＰＵ
【図１】
2008146686.tif 000003
【図２】
2008146686.tif 000004
【図３】
2008146686.tif 000005
【図４】
2008146686.tif 000006
【図５】
2008146686.tif 000007
【図６】
2008146686.tif 000008
【図７】
2008146686.tif 000009
【図８】
2008146686.tif 000010
【図９】
2008146686.tif 000011
【図１０】
2008146686.tif 000012
【図１１】
2008146686.tif 000013